(57)【要約】【課題】病院の手術室において、手術対象である患者の取り違えを防止する為に、患者の手のひらを用いる生体認証が行われている。しかし、手術室に運ばれた患者は、例えば、麻酔の影響により一時的に体が不自由となり、手のひらの動きが制限されている場合がある。このため、手術室に運ばれた患者の手のひらを生体認証装置に対して広げてかざすことは容易でない。従って、従来の手のひらを用いる生体認証装置では、体が一時的に不自由な人に対して、生体認証を適切に行えないという課題がある。１つの側面では、本発明は、健康状態に配慮した生体認証を行える生体認証装置を提供することを目的とする。【解決手段】生体認証サービスの利用者の健康状態に応じて、生体認証において用いる生体部位を特定し、該利用者について登録された該生体部位に対応する登録生体情報を用いて、該利用者によって入力された生体情報についての生体認証処理を行う。【選択図】図６
2014191530.tif 000002
【特許請求の範囲】
【請求項１】
生体認証サービスの利用者の健康状態に応じて、生体認証において用いる生体部位を特定する特定手段と、
該利用者について登録された該生体部位に対応する登録生体情報を用いて、該利用者によって入力された生体情報についての生体認証処理を行う生体認証処理手段と、
を備えたことを特徴とする生体認証装置。
【請求項２】
前記生体部位は、前記利用者の手のひら、又は、該手のひらの一部であることを特徴とする請求項１に記載の生体認証装置。
【請求項３】
前記特定手段は、前記健康状態が昏睡状態である場合に、前記手のひらの一部を前記生体部位として特定することを特徴とする請求項２に記載の生体認証装置。
【請求項４】
前記健康状態は、前記利用者に投与された薬品の情報を含むことを特徴とする請求項１乃至請求項３いずれか１項に記載の生体認証装置。
【請求項５】
生体認証装置により実行される方法であって、
生体認証サービスの利用者の健康状態に応じて、生体認証において用いる生体部位を特定し、
該利用者について登録された該生体部位に対応する登録生体情報を用いて、該利用者によって入力された生体情報についての生体認証処理を行う
ことを特徴とする生体認証方法。
【請求項６】
生体認証装置により実行されるプログラムであって、
生体認証サービスの利用者の健康状態に応じて、生体認証において用いる生体部位を特定し、
該利用者について登録された該生体部位に対応する登録生体情報を用いて、該利用者によって入力された生体情報についての生体認証処理を行う
ことを特徴とする生体認証プログラム。
【発明の詳細な説明】
【技術分野】
【０００１】
本発明は生体認証に関する。
【背景技術】
【０００２】
各個人固有の生体情報を用いる生体認証は、他人によるなりすましが容易でないことから、本人認証として注目されている。
【０００３】
生体認証を行う際は、利用者が、生体認証に用いる生体の部位を生体認証装置に対して所定の状態に配置する。その後、生体認証装置は生体情報を取得し、予め登録された生体情報を参照して、認証処理を行う。例えば、掌紋を用いる生体認証では、利用者が手のひらを生体認証装置に対して広げてかざした状態で、生体認証を行うことに関する技術が特許文献１に記載されている。
【先行技術文献】
【特許文献】
【０００４】
【特許文献１】特開平１１−２０３４７４号公報
【発明の概要】
【発明が解決しようとする課題】
【０００５】
病院の手術室において、手術対象である患者の取り違えを防止する為に、手術室に運ばれた患者が手術対象の患者であるかを確認する際に、患者の手のひらを用いる生体認証が行われている。しかし、手術室に運ばれた患者は、例えば、麻酔の影響により一時的に体が不自由となり、手のひらの動きが制限されている場合がある。このため、手術室に運ばれた患者の手のひらを生体認証装置に対して広げてかざすことは容易でないことに発明者らは気づいた。従って、従来の手のひらを用いる生体認証装置では、体が一時的に不自由な人に対して、生体認証を適切に行えないという課題がある。
【０００６】
１つの側面では、本発明は、健康状態に配慮した生体認証を行える生体認証装置を提供することを目的とする。
【課題を解決するための手段】
【０００７】
１つの実施形態によれば、生体認証装置が提供される。この生体認証装置は、生体認証サービスの利用者の健康状態に応じて、生体認証において用いる生体部位を特定する特定手段と、該利用者について登録された該生体部位に対応する登録生体情報を用いて、該利用者によって入力された生体情報についての生体認証処理を行う生体認証処理手段と、を備える。
【発明の効果】
【０００８】
健康状態に配慮した生体認証を行うことが可能となる。
【図面の簡単な説明】
【０００９】
【図１】生体認証装置１のハード構成例を表す図
【図２】生体認証装置１の機能構成例を表す図
【図３】薬品履歴テーブル３０の例を表す図
【図４】生体情報テーブル４０の例を表す図
【図５】部位一覧テーブル５０の例を表す図
【図６】部位の一例を表す図
【図７】生体情報テーブル６０の例を表す図
【図８】生体認証処理のフローチャートを表す図
【発明を実施するための形態】
【００１０】
以下に図面を参照して、本実施例に係る生体認証装置１について詳細に説明する。
【００１１】
図１は、生体認証装置１のハード構成例を表す図である。プロセッサ１０は、バス１６を介して生体認証装置１が有する各デバイスを制御する。例えば、ＣＰＵ（Ｃｅｎｔｒａｌ  Ｐｒｏｃｅｓｓｉｎｇ  Ｕｎｉｔ）はプロセッサ１０の一例である。主記憶装置１１は、プロセッサ１０により実行される生体認証に係るプログラムやデータなどを予め記憶している。例えば、ＲＯＭ（Ｒｅａｄ  Ｏｎｌｙ  Ｍｅｍｏｒｙ）や、ＲＡＭ（Ｒａｎｄｏｍ  Ａｃｃｅｓｓ  Ｍｅｍｏｒｙ）は、主記憶装置１１の一例である。補助記憶装置１２は、主記憶装置１１を補う記憶装置である。例えば、ＤＶＤ（Ｄｉｇｉｔａｌ  Ｖｅｒｓａｔｉｌｅ  Ｄｉｓｃ）は補助記憶装置１２の一例である。
【００１２】
入力装置１３は、操作コマンドやデータなど、ユーザによる操作に応じた信号を生体認証装置１へ入力する装置である。例えば、キーボードやマウスは入力装置１３の一例である。また、入力装置１３は、操作コマンドやデータなどを、ネットワークを介して生体認証装置１へ入力する装置でもよい。出力装置１４はプロセッサ１０による処理結果を出力する装置である。例えば、ディスプレイやプリンターは出力装置１４の一例である。生体情報取得装置１５は、ユーザの生体情報を取得する装置である。以下では、生体情報取得装置１５はユーザの手のひらの静脈情報を取得する装置とするが、これに限らない。例えば、ユーザの虹彩情報など、ユーザの体の複数の部位それぞれについての情報を取得する装置でも構わない。
【００１３】
図２は、生体認証装置１の機能構成例を表す図である。入力部２０は、操作コマンドやデータなどを、ユーザによる操作やネットワークを介して生体認証装置１へ入力する機能ユニットであり、入力装置１３により実現される。
【００１４】
生体認証処理部２１は、生体認証にかかる処理を行う機能ユニットであり、薬品情報取得部２２と、健康状態取得部２３と、健康状態判定部２４と、部位特定部２５と、生体情報取得部２６と、生体認証部２７とを有する。
【００１５】
薬品情報取得部２２は、入力部に入力された識別子に示される患者に投与された薬品情報を記憶部２８から取得する機能ユニットである。健康状態取得部２３は、薬品状態取得部２２により取得された薬品情報に応じて、記憶部２８から健康状態の情報を取得する機能ユニットである。健康状態判定部２４は、健康状態取得部２３により取得された健康情報に基づいて、生体認証に係るユーザの生体の部位が一時的に不自由であるかを判定する機能ユニットである。
【００１６】
ここで、生体認証に係るユーザは、隋意に動かせる自身の部位の生体情報を登録したが、例えば、薬品を投与され、薬品の影響により一時的に、生体認証に係る部位が隋意に動かせないことを、生体認証に係るユーザの生体の部位が一時的に不自由であると呼ぶ。
【００１７】
部位特定部２５は、健康状態判定部２４により判定された結果に基づいて、生体認証を行う生体の部位を特定する機能ユニットである。生体情報取得部２６は、ユーザの生体情報を取得する機能ユニットであり、生体情報取得装置１５により実現される。生体認証部２７は、生体情報取得部２６により取得された生体情報と、部位特定部２５により特定された生体の部位の情報とを用いて生体認証を行う機能ユニットである。
【００１８】
記憶部２８は、生体認証に係るプログラムやデータが予め格納されている機能ユニットであり、主記憶装置１１と、補助記憶装置１２とのいずれか又は両方により実現される。出力部２９は、生体認証処理部２１による処理結果を出力する機能ユニットであり、出力装置１４により実現される。プロセッサ１０が生体認証に係るプログラムを読み込んで、実行することで、上述の薬品情報取得部２２と、健康状態取得部２３と、健康状態判定部２４と、部位特定部２５と、生体認証部２７とを実現する。
【００１９】
図３は、記憶部２８に格納されている薬品履歴テーブル３０の例を表す図である。薬品履歴テーブル３０は、項目「患者ＩＤ」３１と、項目「薬品」３２とを対応づけているレコードを格納している。
【００２０】
項目「患者ＩＤ」３１は、患者を一意に識別可能な識別子を格納しているデータ項目である。項目「薬品」３２は、項目「患者ＩＤ」３１に格納されている識別子に示される患者に投与された薬品を一意に識別可能な識別子を格納しているデータ項目である。
【００２１】
例えば、生体認証処理部２１がレコード３３にアクセスした場合、患者ＩＤが「１００００１８３」である患者は全身麻酔を投与されたという意味の情報が読み出される。薬品履歴テーブル３０に格納されている夫々のレコードは、例えば、医師が患者に薬品を投薬すると、医師により入力されてもよい。
【００２２】
また、薬品履歴テーブル３０に格納されている夫々のレコードは、例えば、医師が患者に投与した薬品の効果は切れたと判断したら、医師により、削除されてもよい。このようにすることで、健康状態判定部２３は、患者の健康状態を適切に判定することが可能になる。
【００２３】
上記の例では、薬品履歴テーブル３０に格納されている夫々のレコードは項目「患者ＩＤ」３１と、項目「薬品」３２とを対応付けて格納しているが、これらの項目以外にも、他の項目を対応付けて格納してもよい。
【００２４】
図４は、記憶部２８に格納されている健康状態テーブル４０の例を表す図である。健康状態テーブル４０は、項目「薬品」４１と、項目「健康状態」４２とを対応付けているレコードを格納している。
【００２５】
項目「薬品」４１は、薬品を一意に識別可能な識別子を格納しているデータ項目である。また、項目「薬品」４１は、薬品履歴テーブル３０の項目「薬品」３２と対応するデータ項目である。項目「健康状態」４２は、項目「薬品」４１に格納されている識別子に示される薬品を投与された患者の健康状態を示すフラグを格納しているデータ項目である。ここで、項目「薬品」４１に格納されている識別子に示される薬品を投与された患者の体のうち、生体情報取得部２６により生体情報を取得される部位が不自由であることを示すフラグを「１」とし、不自由でないことを示すフラグを「０」とする。
【００２６】
ここで、生体認証装置１は、複数の生体情報取得装置１５を有する場合は、健康状態テーブル４０は、生体認証装置の種類を一意に識別可能な識別子ごとに、項目「薬品」４１、及び、項目「健康状態」４２を格納することになる。このようにすることで、生体情報取得装置１５により生体情報を取得される部位ごとに、所定の薬品による影響を考慮することができる。
【００２７】
例えば、生体認証処理部２１がレコード４３にアクセスした場合、全身麻酔を投与された患者の体は不自由であるという意味の情報が読み出される。健康状態テーブル４０に格納されている夫々のレコードは、例えば、予め医者により入力されてもよい。
【００２８】
また、健康状態テーブル４０に格納されている夫々のレコードは項目「薬品」４１と、項目「健康状態」４２とを対応付けて格納しているが、これらの項目以外にも、他の項目を対応付けて格納してもよい。
【００２９】
図５は、記憶部２８に格納されている部位一覧テーブル５０の例を表す図である。部位一覧テーブル５０は、項目「患者ＩＤ」５１ごとに項目「健康状態」５２と、項目「部位」５３との各項目を対応付けているレコードを格納している。
【００３０】
項目「患者ＩＤ」５１は、患者を一意に識別可能な識別子を格納しているデータ項目である。また、項目「患者ＩＤ」５１は、薬品履歴テーブル３０の項目「患者ＩＤ」３１と対応するデータ項目である。項目「健康状態」５２は、健康状態を示すフラグを格納しているデータ項目である。また、項目「健康状態」５２は、健康状態テーブル４０の項目「健康状態」４２と対応するデータ項目である。項目「部位」５３は、項目「患者ＩＤ」５１に格納されている識別子に示される患者が、項目「健康状態」５２に格納されているフラグに示される健康状態の場合に、生体認証に係る部位を一意に識別可能な識別子を格納しているデータ項目である。
【００３１】
例えば、生体認証処理部２１がレコード５５にアクセスした場合は、患者ＩＤ「１００００１８３」である患者の体が不自由な状態の場合の、生体認証に係る部位は、左手の手のひらの下部であるという意味の情報が読み出される。部位一覧テーブル５０に格納されている夫々のレコードは、例えば、予め生体情報取得部２６により生体情報を登録された際に、生体情報取得部２６により入力されてもよい。
【００３２】
図６は、レコード５４の項目「部位」５３と、レコード５５の項目「部位」５３とにそれぞれ格納されている識別子に示される部位を説明するための図である。左手６０は、生体認証を行うユーザの左手を表す。点線枠６１は、レコード５４の項目「部位」５３に格納されている識別子「左手の手のひら」に示される部位を表している。実線枠６２は、レコード５５の項目「部位」５３に格納されている識別子「左手の手のひらの下部」に示される部位を表している。ここで、点線枠６１の範囲と、実線枠６２の範囲とは、これに限定はされず、例えば、予め医師によりそれぞれ設定されていてもよい。健康状態が「１」、すなわち、生体情報を取得される部位が不自由な場合として、例えば上述のように、麻酔の影響下にある場合が考えられる。そこで、「１」と対応付けて格納される部位は、体が弛緩した状態でも容易に生体情報を採取できる体の部位であることが望ましい。
【００３３】
ここで、項目「部位」５３に格納されている識別子に示される部位は、図６に図示している左手の手のひらと、左手の手のひらの下部とに限らず、生体情報取得部２６により生体情報を取得することが可能な部位であればよい。例えば、右目虹彩や、右手人差し指というように、生体認証に係る生体の部位を一意に識別可能な識別子が格納されていてもよい。
【００３４】
ここで、図５の部位一覧テーブル５０には、１人の患者に対して、患者の生体のうち２つの部位それぞれを一意に識別可能な識別子を格納しているが、これに限定されるものではない。部位一覧テーブル５０には、１人の患者に対して、患者の生体のうち２つ以上の部位それぞれを一意に識別可能な識別子を格納されていればよい
また、部位一覧テーブル５０に格納されている夫々のレコードは項目「患者ＩＤ」５１と、項目「健康状態」５２と、項目「部位」５３とを対応付けて格納しているが、これらの項目以外にも、他の項目を対応付けて格納してもよい。
【００３５】
図７は、記憶部２８に格納されている生体情報テーブル７０の例を表す図である。生体情報テーブル７０は項目「患者ＩＤ」７１ごとに項目「部位」７２と、項目「生体情報」７３との各項目を対応付けているレコードを格納している。
【００３６】
項目「患者ＩＤ」７１は、患者を一意に識別可能な識別子を格納しているデータ項目である。また、項目「患者ＩＤ」７１は、薬品履歴テーブル３０の項目「患者ＩＤ」３１と対応するデータ項目である。項目「部位」７２は、項目「患者ＩＤ」７１に格納されている識別子に示される患者の生体の部位を一意に識別可能な識別子を格納しているデータ項目である。また、項目「部位」７２は、部位一覧テーブル５０の項目「部位」５３と対応するデータ項目である。項目「生体情報」７３は、項目「部位」７２に格納されている識別子に示される部位の生体情報へのリンク情報を格納しているデータ項目である。例えば、ＵＲＬ（Ｕｎｉｆｏｒｍ  Ｒｅｓｏｕｒｃｅ  Ｌｏｃａｔｏｒ）やファイル名は、生体情報へのリンク情報の一例である。
【００３７】
例えば、生体認証処理部２１がレコード７４にアクセスした場合に、患者ＩＤが「１００００１８３」である患者の左手の手のひらの生体情報へのリンク情報は「ｓｅｉｔａｉ１」であるという意味の情報が読み出される。ここで、「ｓｅｉｔａｉ１」のリンク先には、図６の点線枠６１の内部における生体情報が格納されている。生体情報テーブル７０に格納されている夫々のレコードは、例えば、予め生体情報取得部２５により患者の生体情報を登録された際に、生体情報取得部２５により入力されてもよい。
【００３８】
上記の例では、生体情報テーブル７０に格納されている夫々のレコードは項目「患者ＩＤ」７１と、項目「部位」７２と、項目「生体情報」７３との各項目を対応付けて格納しているが、これらの項目以外にも、他の項目を対応付けて格納してもよい。
【００３９】
図８は、生体認証装置１による生体認証処理のフローチャートを表す図である。患者を一意に識別可能な識別子が入力部２０により入力されると、生体認証装置１は図８に表されるフローチャート処理を実行する。
【００４０】
ステップＳ１において、薬品情報取得部２２は、薬品履歴テーブル３０にアクセスし、入力部２０により入力された患者を一意に識別可能な識別子を含むレコードから、項目「薬品」３２に格納されている識別子を取得する。例えば、入力部により「１００００１８３」が入力された場合は、薬品情報取得部２２は、「全身麻酔」と、「インスリン」とを取得する。
【００４１】
ステップＳ２において、健康状態取得部２３は、健康状態テーブル４０にアクセスし、薬品情報取得部２２により取得された識別子を含むレコードから、項目「健康状態」４２に格納されているフラグを取得する。例えば、ステップＳ１において、薬品情報取得部２２により「全身麻酔」が取得された場合は、健康状態取得部２３は、「１」を取得する。また、ステップＳ１において、薬品情報取得部２２により「インスリン」が取得された場合は、健康状態取得部２３は、「０」を取得する。ここで、ステップＳ２において健康状態取得部２３により、１つでも「１」が取得された場合は、「１」が取得されたこととして扱う。例えば、ステップＳ１において薬品情報取得部２２により「全身麻酔」と、「インスリン」とが取得された場合は、健康状態取得部２３は、ステップＳ２において「１」を取得したことになる。
【００４２】
ステップＳ３において、健康状態判定部２４は、ステップＳ２において取得されたフラグに「１」が含まれているかを判定する。ステップＳ２において取得されたフラグに「１」が含まれている場合は、生体認証装置１の処理はステップＳ４に移行し、「１」が含まれていない場合は生体認証装置１の処理はステップＳ８に移行する。
【００４３】
ステップＳ４において、部位特定部２５は、部位一覧テーブル５０にアクセスし、入力部２０により入力された患者を一意に識別可能な識別子と、健康状態取得部２３により取得されたフラグ「１」を含むレコードから、項目「部位」５３に格納されている識別子を取得する。例えば、入力部２０により入力された患者ＩＤが「１００００１８３」の患者の場合は、部位特定部２５は、レコード５５を参照し、「左手の手のひらの下部」を取得する。
【００４４】
例えば、生体認証装置１が、ユーザの手のひらの静脈情報を用いて生体認証を行う場合は、通常、図６の点枠６１に示されるように手のひら全体の静脈情報を用いて生体認証を行う。しかし、麻酔などにより昏睡状態にある患者の手のひらを広げることは、患者本人のみならず、看護師などが行うとしても容易でないために、生体認証装置１は患者の手のひら全体の静脈情報を用いて生体認証を行うことは困難である。
【００４５】
その場合においても、患者本人、又は、看護師は、図６の実枠６２に示される部位を、生体認証装置１にかざすことは可能なので、生体認証装置１は実枠６２に示さる部位を用いて生体認証を行うことが可能である。
【００４６】
このように、患者に投与された薬品情報に基づいて、患者の健康状態を判定することで、体が一時的に不自由な患者に対しても、生体認証を適切に行える生体の部位を特定することができる。
【００４７】
ステップＳ８において、部位特定部２５は、部位一覧テーブル５０にアクセスし、入力部２０により入力された患者を一意に識別可能な識別子と、項目「健康状態」５２がフラグ「０」であるレコードから、項目「部位」５３に格納されている識別子を取得する。例えば、入力部２０により入力された患者ＩＤが「１００００１８３」の患者の場合は、部位特定部２５は「左手の手のひら」を取得する。
【００４８】
ステップＳ５において、出力部２９はステップＳ４、又は、ステップＳ８において部位特定部２５により取得された部位を一意に識別可能な識別子を表示する。
【００４９】
ステップＳ６において、生体情報取得部２６は生体情報を取得する。ここで、ユーザが、ステップＳ５において出力部２９により出力された識別子に示されるユーザの生体の部位を、生体認証装置１に対して所定の状態に配置した後に、生体情報取得部２６は生体情報を取得する。ここで、ユーザが、ステップＳ５において出力部２９により出力された識別子に示されるユーザの生体の部位を、生体認証装置１に対して所定の状態に配置することが困難な場合は、例えば、医者が、この生体の部位を生体認証装置１に対して所定の状態に配置する。
【００５０】
ステップＳ７において、生体認証部２７は、生体情報テーブル７０にアクセスし、ステップＳ６において生体情報取得部２６により取得された生体情報と、入力部２０により入力された患者を一意に識別可能な識別子と、ステップＳ４、又は、ステップＳ８において部位特定部２５により取得された部位を一意に識別可能な識別子とを含むレコードの項目「生体情報」７３に格納されているリンク情報にアクセスして得られる生体情報とを用いて照合処理を行う。
【００５１】
その後、出力部２８は、生体認証部２７による照合処理が成功した場合は、成功した旨を表示し、生体認証装置１の処理は終了する。また、出力部２８は、生体認証部２７による照合処理が失敗した場合は、失敗した旨を表示し、生体認証装置１の処理は終了する。
【００５２】
このように、生体認証装置１は患者に投与された薬品情報に基づいて、生体認証に係る患者の生体の部位が一時的に不自由であるかの判定を行う。患者の生体の部位が一時的に不自由であれば、隋意に体を動かせる場合とは異なる部位を特定し、特定された部位の生体情報を用いて、生体認証を行うことで、一時的に体が不自由な患者に対しても、生体認証を行うことができる。
【００５３】
なお、健康状態取得部２３は、薬品情報取得部２２により取得された識別子に基づいて、記憶部２８からユーザの健康状態を取得したが、ユーザの健康状態を示す情報は入力部２０により入力されてもよい。この場合は、薬品情報取得部２２はなくても構わない。
【符号の説明】
【００５４】
１        生体認証装置
１０      プロセッサ
１１      主記憶装置
１２      補助記憶装置
１３      入力装置
１４      出力装置
１５      生体認証装置
１６      バス
２０      入力部
２１      生体認証処理部
２２      薬品情報取得部
２３      健康状態取得部
２４      健康状態判定部
２５      部位特定部
２６      生体情報取得部
２７      生体認証部
２８      記憶部
２９      出力部
【図１】
2014191530.tif 000003
【図２】
2014191530.tif 000004
【図３】
2014191530.tif 000005
【図４】
2014191530.tif 000006
【図５】
2014191530.tif 000007
【図６】
2014191530.tif 000008
【図７】
2014191530.tif 000009
【図８】
2014191530.tif 000010